(57)【特許請求の範囲】
【請求項１】
薬剤を収容する容器の周壁に、匍匐害虫の進入口となる開口部を有する害虫防除器であって、
前記開口部に前記匍匐害虫の進行の障壁となる一対のガイド部が前記開口部の中心線に対して線対称に設けられ、
前記ガイド部は、平面視で、前記容器の前記周壁の輪郭よりも外方に突出し、前記開口部の両側の容器周壁と非接触であり、前記容器周壁との間に前記匍匐害虫が進入するための通路が形成されていることを特徴とする害虫防除器。
【請求項２】
３個以上の前記開口部が、前記容器の前記周壁に均等に配置されていることを特徴とする請求項１に記載の害虫防除器。
【請求項３】
前記容器が円筒形状であることを特徴とする請求項１又は２に記載の害虫防除器。
【請求項４】
前記容器の周囲に、前記ガイド部の上端に当接する庇部が更に設けられていることを特徴とする請求項１〜３のいずれか１つに記載の害虫防除器。
【発明の詳細な説明】
【技術分野】
【０００１】
本発明は、匍匐害虫（以下、単に害虫ということもある。）を防除するための害虫防除器に関する。
【背景技術】
【０００２】
匍匐害虫駆除のために毒餌剤などの薬剤を設置する方法は、ホウ酸だんごに代表されるように昔から行われてきているが、近年は特許文献１〜３に記載のように、容器の中に薬剤を入れて、所定の場所に設置する方法が主流となっている。
【０００３】
容器内に薬剤を入れておくことによって、薬剤に塵埃がつきにくくなり、効力の低下が抑えられる。また、犬猫等の動物が薬剤を食べることを防止できたり、風雨にさらされても薬剤が濡れることを防止できたり、踏まれるなどの事故をなくせるという利点もある。
【先行技術文献】
【特許文献】
【０００４】
【特許文献１】実開平３−２４８７４号公報
【特許文献２】実公平７−２５０３３号公報
【特許文献３】特開平７−７９６７６号公報
【発明の概要】
【発明が解決しようとする課題】
【０００５】
しかし、上記従来技術は、薬剤は容器に入れて用いるので、害虫は容器に形成された害虫進入口となる開口部から進入することになる。そして薬剤の周囲は容器によりほぼ覆われることになり、害虫を容器内に導くには、誘引効果が十分に発揮されず、害虫が薬剤に到達しにくいという問題がある。
【０００６】
本発明の目的は、上記課題を解決することに係り、匍匐害虫を容器内に効率良く導くことができる害虫防除器を提供することにある。
【課題を解決するための手段】
【０００７】
本発明の上記目的は、下記構成により達成される。
（１）  薬剤を収容する容器の周壁に、匍匐害虫の進入口となる開口部を有する害虫防除器であって、
前記開口部に前記匍匐害虫の進行の障壁となる一対のガイド部が前記開口部の中心線に対して線対称に設けられ、
前記ガイド部は、平面視で、前記容器の前記周壁の輪郭よりも外方に突出し、前記開口部の両側の容器周壁と非接触であり、前記容器周壁との間に前記匍匐害虫が進入するための通路が形成されていることを特徴とする害虫防除器。
【０００８】
（２）  ３個以上の前記開口部が、前記容器の前記周壁に均等に配置されていることを特徴とする上記（１）に記載の害虫防除器。
【０００９】
（３）  前記容器が円筒形状であることを特徴とする上記（１）又は（２）に記載の害虫防除器。
【００１０】
（４）  前記容器の周囲に、前記ガイド部の上端に当接する庇部材が更に設けられていることを特徴とする上記（１）〜（３）のいずれか１つに記載の害虫防除器。
【００１１】
このような構成にすることにより、従来は容器周壁に当接し、進行方向を変えてしまい、容器内に入らなかった匍匐害虫を、効率良く容器内に導くことができる害虫防除器を提供するものである。
【００１２】
本発明の害虫防除器による優れた効果は、以下のような匍匐害虫の性質が複合的に関連していると考えられる。
【００１３】
匍匐害虫には、交替性転向反応という性質がある。この性質は、例えば、最初に障害物に接したときに右に転回した匍匐害虫は、次に障害物に接したときに左に転回し、最初に障害物に接したときに左に転回した匍匐害虫は、次に障害物に接したときに右に転回する、というものである（性質１）。これを繰り返すことにより、匍匐害虫は元の場所に戻ることなく、長い距離を移動することができる。
【００１４】
また、匍匐害虫には、交替性転向反応とは別に、障害物に接したとき、進行方向に対して転回角度が小さくなる方向へ曲がる性質がある（性質２）。
【００１５】
つまり、上記（１）の構成によれば、ガイド部が容器の輪郭よりも外方に突出して設けられているので、容器周壁に最初に当接した匍匐害虫が、開口部方向（例えば右）に転回進行すると、ガイド部に当接して今度は逆側（例えば左）に転回進行し、容器内に入る。
【００１６】
したがって、匍匐害虫が容器の周壁に当接すると、ガイド部により匍匐害虫を開口部方向に転回させて開口部へと導くことができ、匍匐害虫を容器内に効率良く導くことができる。
【００１７】
このように、容器周壁とガイド部との間で匍匐害虫は交替性転向反応に基づいて進行し、匍匐害虫は開口部から容器内に導かれることになる。
【００１８】
上記（２）の構成によれば、一つの開口部に対して複数のガイド部が設けられているので、開口部の近傍を異なる方向に進行していた匍匐害虫であっても、容器周壁又はガイド部に匍匐害虫を当接させて効率良く開口部に導くことができる。
【００１９】
上記（３）の構成によれば、容器が円筒形状であることにより、容器に直接当接した匍匐害虫であっても周壁に沿って進行することでいずれかの開口部に達することができる。
【００２０】
上記（４）の構成によれば、容器の周囲に、ガイド部の上端に当接する庇部材が更に設けられていることにより、ガイド部に接した匍匐害虫がガイド部の表面上を上方に向けて進行しても、庇部に突き当たり、ガイド部よりも上方に進むことがない。庇部は、いわゆるねずみ返しの機能を有する。
【００２１】
本発明が対象とする匍匐害虫は、地面を這う虫であれば特に限定されず、匍匐害虫としては、例えば、ゴキブリ、ダンゴムシ、カミキリムシ、ワラジムシ、アリ、シロアリ、ムカデ、ヤスデ等が挙げられる。
【００２２】
本発明は容器内に薬剤として誘引剤を設置して使用することができる。そして、誘引剤を容器内に収容するとともに、粘着剤などの捕獲手段を備えることで、容器内に進入した害虫を容器で捕獲することができる。
【００２３】
また、薬剤として毒餌剤を容器内に収容することで、容器内に進入した害虫に毒餌剤を食べさせて駆除することもできる。
【００２４】
本発明に用いることのできる薬剤の形状としては、例えば粉剤、生地などの固形製剤、ジェル、グミ、吸水性ポリマーの膨潤体などの半固形製剤、シロップ、ゾルなどの粘性が高い液状製剤等が挙げられ、容器の形状によっては液剤でも使用できる。
【００２５】
本発明によれば、複数種類の毒餌剤を使用することによって、種類や場所によって異なる匍匐性害虫の種類や好みに対応することができる。また、その種類や好みに合わせて毒餌剤を複数個使用することも可能である。
【００２６】
本発明に使用される毒餌剤には、害虫に対する防除効果を得るために各種殺虫成分等を有効成分として用いることができる。例えば、イミプロトリン、ビフェントリン等のピレスロイド系化合物や、フェニトロチオン、ピリダフェンチオン等の有機リン系化合物や、カルバリル、プロポクスル、フェノブカルブ等のカーバメート系化合物や、メトキサジアゾン等のオキサジアゾール系化合物や、イミダクロプリド、アセタミプリド、ニテンピラム、チアクロプリド、チアメトキサム、クロチアニジン、ジノテフラン等のネオニコチノイド系化合物や、フィプロニル等のフェニルピラゾール系化合物や、アミドフルメト等のスルホンアミド系化合物や、メトプレン、ハイドロプレン、ピリプロキシフェン等の昆虫成長制御化合物や、ビストリフルロン、ヘキサフルムロン等のキチン合成阻害剤や、ホウ酸、ホウ砂、クロルフェナピル、これらの異性体又は誘導体等が挙げられ、さらに、ピペロニルブトキサイド、サイネピリン５００等の共力剤等の１種又は２種以上を配合してもよい。
【００２７】
毒餌剤とするには食餌成分を含ませることができる。食餌成分とは、害虫を誘引し、摂食させることができる食餌・誘引成分を意味するものであり、例えば、糖質類、油脂類、デンプン類、タンパク類、アミノ酸類、動植物のエキス類、高級アルコール類等を用いることができる。
【００２８】
食餌、誘引成分としては、例えば、果汁、ハチミツ、廃糖ミツ、マルチトース、ソルビトール、異性果糖、蔗糖、砂糖キビ、砂糖、トレハロース、シュークロース、コウジビオース、マルトース、セロビオース、ラクトース、イソマルトース、Ｄ−グルコース、Ｎ−アセチル−Ｄ−グルコミサン、Ｄ−ガラクトース、Ｄ−マンノース、Ｄ−キシロース、Ｄ−ラクトース、Ｌ−アラビノース、Ｄ−グルクロン酸、Ｄ−グルコミサン、アクチン、アルブミン、カゼイン、フィブリン、フィブリノーゲン、ケラチン、グロブリン等の１種又は２種以上を用いることができる。
【００２９】
更に、例えば、コオロギ、チョウ、ガ、ハエ、オキアミ、サナギコ、魚類、家畜類、貝類、卵等からの由来物質や、落花生、カボチャ種子、小麦フスマ、小麦粉、トウモロコシ、ソラマメ、大豆等からの由来物質や、木ロウ、ヤシ油、カカオ脂、ヒマシ油、オリーブ油、落花生油、大豆油、トウモロコシ油、ナタネ油、ゴマ油、綿実油、アマニ油、キリ油、麻実油、エノ油、鯨油、イワシ油、ニシン油、タラ肝油、微生物油脂、酵母や細菌等からの油脂や、エデスチン、ゼイン、グリアジン等の１種又は２種以上を用いることもできる。
【００３０】
また、例えば、オニオンフレーバー、メープルフレーバー、チキンエキス、ビーフエキス、ポークエキス、牛乳、醤油、ウスターソース、ゴキブリの糞や卵及び乾燥物、バニリン、マルトール等の１種又は２種以上を用いることができる。
【００３１】
溶媒としては、例えば、精製水、イオン水、鉱水等の水や、エタノール、グリセリン、プロピレングリコール等の有機溶媒や、ポリオキシエチレンソルビタン脂肪酸エステル、ポリオキシエチレンヒマシ油、グリコール誘導体等の界面活性剤や、乳酸エチル、乳酸メチル等の乳酸エステルや、Ｎ−メチルピロリドン等のＮ−アルキルピロリドン等の１種又は２種以上を用いることができる。
【００３２】
また必要に応じて、酸化防止剤、保存剤、誤食防止剤、色素、香料等を配合することもできる。
【００３３】
例えば、エリソルビン酸及びその塩、ジブチルヒドロキシトルエン、ｄｌ−α−トコフェロール、ノルジヒドログアヤレチック酸、メチルヒドロキシアニソール、没食子酸プロピル、グアヤク脂、Ｌ−システイン塩等の酸化防止剤や、安息香酸及びその塩、サリチル酸、ソルビン酸及びその塩、デヒドロ酢酸及びその塩、パラヒドロキシ安息香酸エステル、プロピオン酸ナトリウム、プロピオン酸カリウム、フェノキシエタノール等の保存剤や、安息香酸デナトニウム、トウガラシ末等の苦味成分や辛味成分等の誤食防止剤や、黄色４号、赤色１０２号、青色１号等のタール系色素やカラメル等の色素や、チーズ香料、バター香料、ピーナッツ香料、ピーチ香料、ストロベリー香料、ミルク香料等の香料や、クエン酸、リン酸水素塩等のＰＨ調整剤等の１種又は２種以上を用いることができる。
【００３４】
また害虫の誘引、摂食を阻害しない限り、必要に応じて、例えば、ホワイトカーボン、珪藻土、クレー、カオリン、タルク、ベントナイト、シリカ等の無機物や、パラフィン、ポリエチレングリコール、デキストリン、スチレン樹脂、シリコーン樹脂、結晶セルロース、寒天、ゼラチン等の有機物の１種又は２種以上を配合してもよい。
【発明の効果】
【００３５】
本発明の害虫防除器によれば、匍匐害虫が容器周壁及びガイド部に当接することで、匍匐害虫を交替性転向反応などの性質に基づいて開口部に導くことができ、更に匍匐害虫を開口部から容器内に効率良く導くことができる。
【図面の簡単な説明】
【００３６】
【図１】本発明の第１実施形態である害虫防除器の斜視図である。
【図２】本発明の第１実施形態である害虫防除器の分解斜視図である。
【図３】図１のガイド部材の固定構造を表す斜視図である。
【図４】図１の害虫防除器の平面図である。
【図５】図１の害虫防除器による匍匐害虫の進入経路を説明する図である。
【図６】本発明の第２実施形態の平面図である。
【図７】図６の害虫防除器による匍匐害虫の進入経路を説明する図である。
【図８】本発明の第３実施形態の平面図である。
【図９】図８の害虫防除器による匍匐害虫の進入経路を説明する図である。
【図１０】本発明の第４実施形態の平面図である。
【図１１】図１０のガイド部による匍匐害虫の案内作用を説明する図である。
【図１２】試験例１で使用した害虫防除器の斜視図である。
【発明を実施するための形態】
【００３７】
以下、本発明に係る害虫防除器の実施形態について、図面を参照して詳細に説明する。
【００３８】
［第１実施形態］
害虫防除器１０は、薬剤１２を収容する容器１４の周壁に、匍匐害虫の進入口となる開口部１６を有する。本実施形態では、容器１４は、円筒形状の蓋部１４ａと円形の底板１４ｂとからなり、蓋部１４ａの円周方向に３つの開口部１６を有する。各開口部１６には匍匐害虫の進行の障壁となる一対のガイド部材１８が設けられている。ガイド部材１８は、平面視で、容器１４の輪郭よりも外方に突出し、容器周壁２０と非接触であり、容器周壁２０との間に匍匐害虫の進入口となる通路が形成されている。
【００３９】
ガイド部材１８は、基部１８ａとガイド部１８ｂとからなるへ字状に屈曲した帯状板であり、開口部１６の上縁を画成する容器周壁２０に基部１８ａが装着されている。そして、ガイド部１８ｂを開口部１６から外方に突出するように配置されている。一対のガイド部材１８の基部１８ａどうしの間は、匍匐害虫の進入口となる通路となる隙間が形成されている。また、ガイド部材１８の基部１８ａと開口部１６の両側の容器周壁２０との間にも、匍匐害虫の進入口となる通路となる隙間が形成されている。
【００４０】
図３に示すように、ガイド部材１８は、容器周壁２０に形成されたスリット２２に基部１８ａを圧入することで装着されている。また、必要に応じて基部１８ａを接着剤により固着してもよい。
【００４１】
また、ガイド部材１８は、開口部１６の中心線に対する角度θが０°〜９０°に設定されるが、この角度θは２０°〜６０°であることが好ましい。
【００４２】
ガイド部材１８の上記角度θが２０°未満であると、容器周壁２０に当接した後、ガイド部１８ｂと容器周壁２０との間に進入した匍匐害虫が容器から離れる方向に進みやすくなり、上記角度θが６０°を超えると、ガイド部１８ｂ間に進入した匍匐害虫がガイド部１８ｂ対して鋭角に当接しにくくなり、やはりガイド効果が充分に発揮されないことがある。
【００４３】
容器１４はプラスチック、紙、金属等の材料により成形される。容器の一部を透明なプラスチック製にすると、内部を視認できるので好ましい。
【００４４】
また、容器１４には、リング形状の庇部材２４が外嵌されている。庇部材２４の内径は、容器１４の外径よりも大きく、庇部材２４を容器１４に被せてガイド部材１８の上縁に載置されるようになっている。
【００４５】
容器１４の底板１４ｂには、薬剤が載置される。
使用前に、底板１４ｂ上に薬剤を収容できるように、蓋部１４ａと底板１４ｂとは分離されているが、使用にあたっては、蓋部１４ａと底板１４ｂとは固定されることが好ましい。この場合、蓋部１４ａと底板１４ｂとの固定構造は特に限定されない。固定構造としては、例えば、接着、溶着、圧入、ロック爪等による係止機構、等を採用することができる。
【００４６】
また、蓋部１４ａの上面又は周壁に、開閉可能な毒餌剤挿入口を形成しておき、蓋部１４ａと底板１４ｂとをあらかじめ固着しておいてもよい。
【００４７】
本実施形態の害虫防除器１０を使用するには、まず、底板１４ｂ上に薬剤１２を収容する。薬剤１２は、底板１４ｂの中央に収容することが好ましい。ついで、底板１４ｂと蓋部１４ａとを一体化して固定する。ついで、庇部材２４を蓋部１４ａの上から被せてガイド部材１８上に載置する。このようにして組み立てた害虫防除器１０を所期の場所に設置することで、匍匐害虫が容器１４内に効率良く導かれる。
【００４８】
図４は第１実施形態の平面図であるが、庇部材２４は図示を省略されている。
【００４９】
以下、第１実施形態における害虫防除器による匍匐害虫の進入経路を、図５を参照して説明する。匍匐害虫は、性質１又は性質２に基づいて、転回していると考えられる。
【００５０】
図５に示すように、匍匐害虫は、経路Ｐ１を通って容器周壁２０に当接すると左に転回し、更に容器周壁２０に沿って進行する。その後、ガイド部材１８に当接して、右に転回して容器１４内に進入する。
【００５１】
匍匐害虫が経路Ｐ２を通ってガイド部材１８に当接すると、容器１４内方に向けて左に転回し、更に進行すると、相対するガイド部材１８に当接する。すると、匍匐害虫は、容器１４内方に向けて右に転回し、更に進行して一対のガイド部材１８間から容器１４内に進入する。
【００５２】
匍匐害虫が経路Ｐ３を通ってガイド部材１８に当接すると、容器１４内方に向けて左に転回し、そのまま容器１４内に進入する。
【００５３】
経路Ｐ４を通った匍匐害虫は、容器周壁２０に当接し、右に転回し、更に容器周壁２０に沿って進行する。その後、ガイド部材１８に当接して、左に転回して容器１４内に進入する。
【００５４】
ここで、ガイド部材１８が設けられていないと、経路Ｐ３で進行する匍匐害虫は、容器周壁２０とも当接せずにそのまま開口部１６の前を通り過ぎるだけであり、容器１４内に入らない。また、経路Ｐ１，Ｐ４で進行する匍匐害虫は、容器周壁２０に当接して転回した後、そのまま開口部１６の前を通り過ぎるだけであり、容器１４内に入らない。したがって、ガイド部材１８が設けられていることで、匍匐害虫が開口部１６から容器１４内に進入する割合が高まる。
【００５５】
ガイド部材１８のガイド部１８ｂは、長さが長い方が匍匐害虫と当接する機能が高まるので誘導効果が高まるが、長すぎると設置時に広い面積を必要として邪魔になるので、適切な長さ（５〜５０ｍｍ）に設定される。
【００５６】
なお、上記実施形態は、容器１４内に薬剤１２を収容しただけであるが、容器１４内に、進入した匍匐害虫を捕獲する構成を具備してもよい。このような構成としては、例えば粘着性シートを採用することができる。
【００５７】
［第２実施形態］
上記第１実施形態は、容器１４の各開口部１６に一対のガイド部材１８を設けたものであるが、本第２実施形態は一対のガイド部材１８に代えて、Ｙ字形状のガイド部材１８Ａを各開口部１６に１つずつ設けた構成である。他の構成は第１実施形態と同じであるので、同符号を付してその説明を省略又は簡略化する。
【００５８】
図６は第２実施形態の平面図であるが、庇部材２４は図示を省略されている。
ガイド部材１８Ａは基部１８Ａａを容器周壁２０に固定され、二つの帯状板を外方に向けられている。
【００５９】
以下、第２実施形態における害虫防除器による匍匐害虫の進入経路を、図７を参照して説明する。匍匐害虫は、性質１又は性質２に基づいて、転回していると考えられる。
【００６０】
図７に示すように、匍匐害虫は、Ｐ５を通って容器周壁２０に当接して左に転回すると、容器周壁２０に沿って進行する。その後、ガイド部材１８Ａに当接して、右に転回して容器１４内に進入する。
【００６１】
匍匐害虫が経路Ｐ６を通ってガイド部材１８Ａに当接すると、容器１４内方に向けて左に転回し、そのまま容器１４内に進入する。
【００６２】
経路Ｐ７を通った匍匐害虫は、容器周壁２０に当接し、右に転回し、更に容器周壁２０に沿って進行する。その後、ガイド部材１８Ａに当接して、左に転回して容器１４内に進入する。
【００６３】
ここで、ガイド部材１８Ａが設けられていないと、経路Ｐ６で進行する匍匐害虫は、容器周壁２０とも当接せずにそのまま開口部１６の前を通り過ぎるだけであり、容器１４内に入らない。また、経路Ｐ５，Ｐ７で進行する匍匐害虫は、容器周壁２０に当接して転回した後、そのまま開口部１６の前を通り過ぎるだけであり、容器１４内に入らない。したがって、ガイド部材１８Ａが設けられていることで、匍匐害虫が開口部１６から容器１４内に進入する割合が高まる。
【００６４】
［第３実施形態］
本第３実施形態は、第１実施形態の一対のガイド部材１８に代えて、平板形状のガイド部材１８Ｂを各開口部１６に１つずつ設けた構成である。また開口部１６の数を３つから４つに増設してある。他の構成は第１実施形態と同じであるので、同符号を付してその説明を省略又は簡略化する。
【００６５】
図８は第３実施形態の平面図であるが、庇部材２４は図示を省略されている。
【００６６】
第３実施形態における害虫防除器による匍匐害虫の進入経路を、図９を参照して説明する。匍匐害虫は、性質１又は性質２に基づいて、転回していると考えられる。
【００６７】
図９に示すように、匍匐害虫は、経路Ｐ８を通って容器周壁２０に当接すると、左に転回し、更に容器周壁２０に沿って進行する。その後、ガイド部材１８Ｂに当接して、右に転回して容器１４内に進入する。
【００６８】
匍匐害虫が経路Ｐ９を通ってガイド部材１８Ｂに当接すると、容器１４内方に向けて左に転回し、そのまま容器１４内に進入する。
【００６９】
経路Ｐ１０を通った匍匐害虫は、容器周壁２０に当接し、右に転回し、更に容器周壁２０に沿って進行する。その後、ガイド部材１８Ｂに当接して、左に転回して容器１４内に進入する。
【００７０】
ここで、ガイド部材１８Ｂが設けられていないと、経路Ｐ９で進行する匍匐害虫は、容器周壁２０とも当接せずにそのまま開口部１６の前を通り過ぎるだけであり、容器１４内に入らない。また、経路Ｐ８，Ｐ１０で進行する匍匐害虫は、容器周壁２０に当接して転回した後、そのまま開口部１６の前を通り過ぎるだけであり、容器１４内に入らない。したがって、ガイド部材１８Ｂが設けられていることで、匍匐害虫が開口部１６から容器１４内に進入する割合が高まる。
【００７１】
［第４実施形態］
本第４実施形態は、第１実施形態の容器周壁２０の形状を円形から正方形に代えて、開口部１６を４つ設けた構成である。他の構成は第１実施形態と同じであるので、同符号を付してその説明を省略又は簡略化する。
【００７２】
図１０は第４実施形態の平面図であるが、庇部材２４は図示を省略されている。
【００７３】
以下、第４実施形態における害虫防除器による匍匐害虫の進入経路を、図１１を参照して説明する。匍匐害虫は、性質１又は性質２に基づいて、転回していると考えられる。
【００７４】
図１１に示すように、匍匐害虫は、経路Ｐ１１を通って容器周壁２０に当接すると、左に転回し、更に容器周壁２０に沿って進行する。その後、ガイド部材１８に当接して、右に転回して容器１４内に進入する。その他の経路も第１実施形態と同様であるが、Ｐ１２の経路で進入した場合は、ガイド部材１８から離れる方向に進み、容器内に進入しない。
【００７５】
実施例１
下記試験により本発明の効果を確認した。
実施例１で用いた第１実施形態の構成（図４）の害虫防除器の大きさは以下のようになっている。
直径８５ｍｍ、高さ３２ｍｍ、開口部の幅４５ｍｍ（ガイド部材を均等に配置）、開口部の高さ１０ｍｍ、ガイド部材の開口部中心線に対する角度θ＝４０度、ガイド部材の長さ（開口部外側）３０ｍｍ、（開口部内側）５ｍｍ
供試虫
チャバネゴキブリ雌雄混合約５０頭
試験方法
１．  縦４５ｃｍ×横３３ｃｍ×高さ１６ｃｍのバット内に供試虫約５０頭を入れる。
２．  本発明の第１実施形態の構成（図１の庇部材２４のない構成）の害虫防除器（実施例１）と、実施例１のガイド部材１８のない構成の害虫防除器（比較例１）とを１０ｃｍ程度離して前記バット内に併置する。
３．  １０分間観察を行い、供試虫が実施例１と比較例１とに進入した数をカウントする。
４．  以下の式により、実施例１、比較例１それぞれについて単位時間（分）当たりの進入数を算出する。
単位時間当たりの進入数（頭／分）＝進入数／観察時間
上記実験を２回実施した結果は表１の通りである。
【００７６】
【表１】
0005500443.tif 000002
【００７７】
表１の結果から明らかなように、本発明の実施例１は比較例１に比べて単位時間当たりの匍匐害虫の進入数が多く、匍匐害虫を容器内に効率良く導くことができた。
【００７８】
実施例２
下記試験により第２実施形態の構成（図６）の害虫防除器の効果を確認した。
なお、第２実施形態の構成（図６）の害虫防除器の大きさは、開口部の幅が３０ｍｍとなっている以外は実施例１と同じであり、庇部材２４を除いてある。
供試虫
チャバネゴキブリ雌雄混合約３０頭
試験方法
１．  縦４５ｃｍ×横３３ｃｍ×高さ１６ｃｍのバット内に供試虫約３０頭を入れる。
２．  本発明の第２実施形態の構成（図６）の害虫防除器（実施例２）と、ガイド部材を省略した構成の害虫防除器（比較例２）とをそれぞれ単独で設置する。
３．  実施例２及び比較例１の周壁に衝突した供試虫の数をカウントする。
４．  衝突後、実施例２及び比較例２の内部に進入した供試虫の数を記録する（衝突数が３０頭となるまで観察する）。
５．  以下の式により進入率を算出し、実施例２と比較例２とで比較する。
進入率（％）＝（進入数／壁面衝突数）×１００
上記実験を２回実施した結果は表２の通りである。
【００７９】
【表２】
0005500443.tif 000003
【００８０】
表２の結果から明らかなように、本発明の実施例２は比較例２に比べて、周壁に衝突した後、内部への進入率が高く、匍匐害虫を容器内に効率良く導くことができたことが分かる。
【００８１】
実施例３
下記試験により第３実施形態の構成（図８）の害虫防除器の効果を確認した。
なお、第３実施形態の構成（図８）の害虫防除器の大きさは実施例２と同じであり、庇部材２４を除いてある。
供試虫
チャバネゴキブリ雌雄混合約２００頭
試験方法
１．  縦４５ｃｍ×横３３ｃｍ×高さ１６ｃｍのバット内に供試虫約２００頭を入れる。
２．  本発明の第３実施形態の構成（図８）の害虫防除器（実施例３）と、ガイド部材を省略した構成の害虫防除器（比較例３）とを１０ｃｍ程度離して設置する。
３．  １０分間観察を行い、供試虫が本発明実施例３と比較例３とに進入した数をカウントする。
４．  以下の式により、実施例３、比較例３それぞれについて単位時間当たりの進入数を算出する。
単位時間当たりの進入数（頭／分）＝進入数／観察時間
上記実験を４回実施した結果は表３の通りである。
【００８２】
【表３】
0005500443.tif 000004
【００８３】
表３の結果から明らかなように、本発明の実施例３は比較例３に比べて単位時間当たりの匍匐害虫の進入数が多く、匍匐害虫を容器内に効率良く導くことができたことが分かる。
【００８４】
実施例４
下記試験により第４実施形態の構成（図１０）の害虫防除器〔１００ｍｍ×１００ｍｍ、開口部の幅３０ｍｍ（ガイド部材を均等に配置）、ガイド部材の開口部中心線に対する角度θ=４０度、ガイド部材の長さ（開口部外側）３０ｍｍ、（開口部内側）５ｍｍ〕の効果を確認した。
供試虫
チャバネゴキブリ雌雄混合約１００頭
試験方法
１．  縦４５ｃｍ×横３３ｃｍ×高さ１６ｃｍのバット内に供試虫約１００頭を入れる。
２．  本発明の第４実施形態の構成（図１０）の害虫防除器（実施例４）と、ガイド部材を省略した構成の害虫防除器（比較例４）とを１０ｃｍ程度離して設置する。なお、実施例４と比較例３は庇部材を除いてある。
３．  １０分間観察を行い、供試虫が本発明実施例４と比較例４とに進入した数をカウントする。
４．  以下の式により、実施例４、比較例４それぞれについて単位時間当たりの進入数を算出する。
単位時間当たりの進入数（頭／分）＝進入数／観察時間
上記実験を２回実施した結果は表４の通りである。
【００８５】
【表４】
0005500443.tif 000005
【００８６】
表４の結果から明らかなように、本発明の実施例４は比較例４に比べて単位時間当たりの匍匐害虫の進入数が多く、匍匐害虫を容器内に効率良く導くことができたことが分かる。
【００８７】
試験例１
下記試験により庇部材の効果を確認した。
なお、試験に用いた捕獲器は、図１２に示す害虫防除器（試験例１）とその庇部材２４を除いた形状の比較例５である。試験例１の大きさは、底面８０ｍｍ×８０ｍｍ，天面６０ｍｍ×６０ｍｍ，庇部材９０ｍｍ×９０ｍｍ，高さ１８ｍｍ、開口部幅１０ｍｍである。
供試虫
チャバネゴキブリ雌雄混合約１００頭
試験方法
１．  縦３６ｃｍ×横２４ｃｍ×高さ１４ｃｍのバット内に供試虫約１００頭を入れる。
２．  図１２の害虫防除器（試験例１）を設置する。
３．  ５分間観察を行い、以下の(１)〜(３)をカウントする。
(１)  害虫防除器の周辺（１ｃｍ程度）へ近づいた供試虫数
(２)  害虫防除器の内部へ進入した供試虫数
(３)  害虫防除器を乗り越えた供試虫数
４．  以下の式により、進入率を算出する。
進入率（％）＝（進入した供試虫数÷周辺へ近づいた供試虫数）×１００
また、庇部材２４を省略した構成の害虫防除器（比較例５）も同様に試験を行った。
上記実験をそれぞれ４回実施した結果は表５の通りである。
【００８８】
【表５】
0005500443.tif 000006
【００８９】
表５の結果から明らかなように、試験例１は比較例５に比べて単位時間当たりの匍匐害虫の進入率が高く、匍匐害虫を容器内に効率良く導くことができたことが分かる。
【００９０】
実施例５
下記試験により第１実施形態の構成（図４）で庇部材２４を取り付けた害虫防除器（実施例５）の効果を確認した。なお、実施例５の害虫防除器の大きさは実施例１と同じであり、庇部の幅は１５ｍｍである。
供試虫
チャバネゴキブリ雌雄混合約５０頭
試験方法
１．  縦４５ｃｍ×横３３ｃｍ×高さ１６ｃｍのバット内に供試虫約５０頭を入れる。
２．  本発明の第１実施形態の構成（図４）で庇部材２４を取り付けた害虫防除器（実施例５）と、庇部材２４とガイド部材１８を省略した構成の害虫防除器（比較例６）とを１０ｃｍ程度離して設置する。
３．  １０分間観察を行い、供試虫が本発明実施例５と比較例６とに進入した数をカウントする。
４．  以下の式により、実施例５、比較例６それぞれについて単位時間当たりの進入数を算出する。
単位時間当たりの進入数（頭／分）＝進入数／観察時間
上記実験を２回実施した結果は表６の通りである。
【００９１】
【表６】
0005500443.tif 000007
【００９２】
表６の結果から明らかなように、本発明の実施例５は比較例６に比べて単位時間当たりの匍匐害虫の進入数が多く、匍匐害虫を容器内に効率良く導くことができたことが分かる。
【００９３】
本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００９４】
例えば、容器の形状は円筒形に限らず、角筒形、円錐形、角錐形等であってもよい。
また、ガイド部材のガイド部の形状は、平面視で、直線状でなくてもよく、円弧形状であってもよい。
【符号の説明】
【００９５】
１０  害虫防除器
１２  薬剤
１４  容器
１６  開口部
１８，１８Ａ，１８Ｂ  ガイド部材
１８ａ  基部
１８ｂ  ガイド部
２０  容器周壁
２２  スリット
２４  庇部材
【図１】
0005500443.tif 000008
【図２】
0005500443.tif 000009
【図３】
0005500443.tif 000010
【図４】
0005500443.tif 000011
【図５】
0005500443.tif 000012
【図６】
0005500443.tif 000013
【図７】
0005500443.tif 000014
【図８】
0005500443.tif 000015
【図９】
0005500443.tif 000016
【図１０】
0005500443.tif 000017
【図１１】
0005500443.tif 000018
【図１２】
0005500443.tif 000019